(57)【要約】【課題】認知症患者が自ら着用するオムツの内部に手を入れてしまう可能性が低減された認知症患者用パンツを提供する。【解決手段】認知症患者用パンツは、認知症患者が少なくともオムツの上に着用する認知症患者用パンツであって、認知症患者の腰部を縛るための第１の紐１２ａ及び第２の紐１２ｂを備え、第１の紐１２ａ及び第２の紐１２ｂがそれぞれ内部を通る紐通し部１４が形成され、紐通し部１４に、第１の紐１２ａ又は第２の紐１２ｂを通す口となる複数の一組の紐通し孔が、それぞれ異なる位置に形成されている。【選択図】図１
0003207688.tif 000002
【実用新案登録請求の範囲】
【請求項１】
認知症患者が少なくともオムツの上に着用する認知症患者用パンツであって、
前記認知症患者の腰部を縛るための第１の紐及び第２の紐を備え、
前記第１の紐及び前記第２の紐がそれぞれ内部を通る紐通し部が形成され、
前記紐通し部に、前記第１の紐又は前記第２の紐を通す口となる複数の一組の紐通し孔が、それぞれ異なる位置に形成された認知症患者用パンツ。
【請求項２】
請求項１記載の認知症患者用パンツであって、
前記複数の一組の紐通し孔が、それぞれ前記紐通し部の前部、後部、左側部、及び右側部に配置されている認知症患者用パンツ。
【請求項３】
請求項１記載の認知症患者用パンツであって、
前記複数の一組の紐通し孔が、それぞれ、前記紐通し部の外側の前部、後部、左側部、及び右側部並びに外側の前部、後部、左側部、及び右側部に配置され、それぞれ対応する位置にある二組の前記紐通し孔が、前記紐通し部の外側から内側までを貫通する貫通孔を形成している認知症患者用パンツ。
【考案の詳細な説明】
【技術分野】
【０００１】
本考案は、認知症患者用パンツに関する。
【背景技術】
【０００２】
従来、オムツを着用した認知症患者は、自らオムツ内部に手を入れたりオムツを外したりしてしまうので、周囲を汚し、介護者の負担となることがある。
そこで例えば、特許文献１に開示されているように、認知症患者におむつを使用させても、パンツが外し難く、内部のおむつが容易に取り外せなくし、また、おむつの中に手を入れることのできないようにして、認知症患者の健康を維持するとともに、介護者の負担を軽減させるための認知症患者の特性を利用した認知症患者用パンツが知られている。
この認知症患者用パンツは、下着あるいはパジャマのズボン等におけるパンツであって、該パンツ本体の後部上端中央の内側に、腰部を固定するための紐通し部を形成し、該部で紐を結ぶことを特徴としている。
【先行技術文献】
【特許文献】
【０００３】
【特許文献１】実用新案登録第３０３０７７９号公報
【考案の概要】
【考案が解決しようとする課題】
【０００４】
本考案は、認知症患者が自ら着用するオムツの内部に手を入れてしまう可能性が低減された認知症患者用パンツを提供することを目的とする。
【課題を解決するための手段】
【０００５】
前記目的に沿う本発明に係る認知症患者用パンツは、認知症患者が少なくともオムツの上に着用する認知症患者用パンツであって、
前記認知症患者の腰部を縛るための第１の紐及び第２の紐を備え、
前記第１の紐及び前記第２の紐がそれぞれ内部を通る紐通し部が形成され、
前記紐通し部に、前記第１の紐又は前記第２の紐を通す口となる複数の一組の紐通し孔が、それぞれ異なる位置に形成されている。
【０００６】
本発明に係る認知症患者用パンツにおいて、
前記複数の一組の紐通し孔が、それぞれ前記紐通し部の前部、後部、左側部、及び右側部に配置されていることが好ましい。
【０００７】
本発明に係る認知症患者用パンツにおいて、
前記複数の一組の紐通し孔が、それぞれ、前記紐通し部の外側の前部、後部、左側部、及び右側部並びに外側の前部、後部、左側部、及び右側部に配置され、それぞれ対応する位置にある二組の前記紐通し孔が、前記紐通し部の外側から内側までを貫通する貫通孔を形成していることが好ましい。
【考案の効果】
【０００８】
本考案によれば、認知症患者が自ら着用するオムツの内部に手を入れてしまう可能性が低減された認知症患者用パンツを提供できる。
【図面の簡単な説明】
【０００９】
【図１】本考案の一実施の形態に係る認知症患者用パンツの外観図である。
【図２】同認知症患者用パンツの紐通し部に形成された紐通し孔及び紐通し孔を通る第２の紐の説明図である。
【図３】同認知症患者用パンツの平面図である。
【考案を実施するための形態】
【００１０】
続いて、添付した図面を参照しつつ、本考案を具体化した実施の形態につき説明し、本考案の理解に供する。なお、図において、説明に関連しない部分は図示を省略する場合がある。
【００１１】
本考案の一実施の形態に係る認知症患者用パンツ１０は、介護者によって介護される認知症患者が、少なくともオムツの上に着用されたパンツ（衣服）の上から更に着用する衣服である。
なお、認知症患者用パンツ１０は、少なくともオムツの上に着用されればよく、オムツの上にそのまま着用されてもよい。
【００１２】
認知症患者用パンツ１０は、図１に示すように、着用者である認知症患者の腰部を縛るための第１の紐１２ａ及び第２の紐１２ｂを備えている。
認知症患者用パンツ１０の腰部には、図２に示すように、紐通し部１４が形成されている。紐通し部１４は内部が空洞になっており、第１の紐１２ａ及び第２の紐１２ｂがそれぞれ内部を通る。
なお、以下、認知症患者を「着用者」という場合がある。
【００１３】
紐通し部１４には、図３に示すように、それぞれ異なる位置に、２つの孔２０ａ、２０ｂ（図２参照）からなる一組の紐通し孔Ｈｆ１〜Ｈｆ４が形成されている。これら紐通し孔Ｈｆ１〜Ｈｆ４は、第１の紐１２ａ又は第２の紐１２ｂを通す口である。
具体的には、これら一組の紐通し孔Ｈｆ１〜Ｈｆ４は、着用者から見て、それぞれ紐通し部１４の外側の前部、後部、左側部、及び右側部に設けられている。
【００１４】
また、紐通し部１４には、それぞれ異なる位置に一組の紐通し孔Ｈｂ１〜Ｈｂ４が更に形成されている。これら紐通し孔Ｈｂ１〜Ｈｂ４は、第１の紐１２ａ又は第２の紐１２ｂを通す口である。
具体的には、これら一組の紐通し孔Ｈｂ１〜Ｈｂ４は、着用者から見て、それぞれ紐通し部１４の内側の前部、後部、左側部、及び右側部に設けられている。
【００１５】
すなわち、紐通し部１４には、合計八組の紐通し孔Ｈｆ１〜Ｈｆ４、Ｈｂ１〜Ｈｂ４が形成されており、第１の紐１２ａ及び第２の紐１２ｂは、これら八組の紐通し孔Ｈｆ１〜Ｈｆ４、Ｈｂ１〜Ｈｂ４うち、いずれかの二組の紐通し孔にそれぞれ通される。
【００１６】
これら各組の紐通し孔Ｈｆ１〜Ｈｆ４、Ｈｂ１〜Ｈｂ４のうち、一組の紐通し孔Ｈｆ１と一組の紐通し孔Ｈｂ１とは、それぞれ紐通し部１４の前部の対応する外側と内側に配置され、一組の紐通し孔Ｈｆ１を構成する各孔と一組の紐通し孔Ｈｂ１を構成する各孔とは、紐通し部１４の外側から内側までを貫通する貫通孔を形成している。
また、一組の紐通し孔Ｈｆ２と一組の紐通し孔Ｈｂ２とは、それぞれ紐通し部１４の後部の対応する外側と内側に配置され、一組の紐通し孔Ｈｆ２を構成する各孔と一組の紐通し孔Ｈｂ２を構成する各孔とは、紐通し部１４の外側から内側までを貫通する貫通孔を形成している。
また、一組の紐通し孔Ｈｆ３と一組の紐通し孔Ｈｂ３とは、それぞれ紐通し部１４の左側部の対応する外側と内側に配置され、一組の紐通し孔Ｈｆ３を構成する各孔と一組の紐通し孔Ｈｂ３を構成する各孔とは、紐通し部１４の外側から内側までを貫通する貫通孔を形成している。
また、一組の紐通し孔Ｈｆ４と一組の紐通し孔Ｈｂ４とは、それぞれ紐通し部１４の右側部の対応する外側と内側に配置され、一組の紐通し孔Ｈｆ４を構成する各孔と一組の紐通し孔Ｈｂ４を構成する各孔とは、紐通し部１４の外側から内側までを貫通する貫通孔を形成している。
【００１７】
このように、認知症患者用パンツ１０の紐通し部１４には、複数の一組の紐通し孔が、それぞれ異なる位置に形成され、これら複数の紐通し孔のうち、いずれか二組の紐通し孔に第１の紐１２ａ及び第２の紐１２ｂがそれぞれ通されるので、着用者が第１の紐１２ａ及び第２の紐１２ｂを両方解くのは容易ではなくなる。
従って、着用者が自ら着用するオムツの内部に手を入れてしまう可能性が低減される。
【００１８】
次に、認知症患者用パンツ１０の使用方法について説明する。
まず、介護者が、オムツの上にパンツを着用した認知症患者に、更に、認知症患者用パンツ１０を穿かせる。
次に、一組の紐通し孔Ｈｆ１〜Ｈｆ４、Ｈｂ１〜Ｈｂ４のうち、いずれか二組の紐通し孔を選び、選んだ二組の紐通し孔にそれぞれ第１の紐１２ａ及び第２の紐１２ｂを通して結ぶ。
【００１９】
その際、外側にある紐通し孔Ｈｆ１〜Ｈｆ４よりも、内側にある紐通し孔Ｈｂ１〜Ｈｂ４を使用して各紐１２ａ、１２ｂを結んだ方が、認知症患者用パンツ１０を穿く着用者にとっては、各紐１２ａ、１２ｂを解きにくい。しかし、介護者にとっては、内側にある紐通し孔Ｈｂ１〜Ｈｂ４を使用して各紐１２ａ、１２ｂを結ぶと、外側にある紐通し孔Ｈｆ１〜Ｈｆ４を使用する場合よりも、オムツを交換する際の作業効率が低下する。
【００２０】
この点、認知症患者用パンツ１０を使用すると、穿いた着用者の様子を見ながら、着用者の癖に応じて使用する二組の紐通し孔（結び目の位置）を選択できる。
例えば、２箇所で結ばれた各紐１２ａ、１２ｂを両方解くことがない着用者の場合には、介護者は、外側にある紐通し孔Ｈｆ１〜Ｈｆ４のみを使用して紐を結ぶことができるので、内側にある紐通し孔Ｈｂ１〜Ｈｂ４を使用して紐を結ぶ場合と比較して、認知症患者用パンツ１０を脱がせ易く、オムツを交換する際の介護者の作業効率が低下してしまうことが抑えられる。
また、着用者が外側で結んだ各紐１２ａ、１２ｂを解いてしまう場合には、例えば図１に示すように、内側にある前部の紐通し孔Ｈｂ１及び後部の紐通し孔Ｈｂ２にて紐を結ぶことができる。
更に、後部に結び目があることを嫌がる着用者に対しては、介護者は、後部に代えて左側部で紐を結ぶことができる。
【００２１】
着用者が違和感等を訴えることがなければ、以降、介護者は、その紐通し孔を使用して認知症患者用パンツ１０を着用者に穿かせることができる。
このように、本実施の形態に係る認知症患者用パンツ１０によれば、外側に設けられた各組の紐通し孔Ｈｆ１〜Ｈｆ４及び内側に設けられた各組の紐通し孔Ｈｂ１〜Ｈｂ４を選択し、２箇所で紐１２ａ、１２ｂを結ぶことができるので、認知症患者が全ての紐を解きにくく、自ら着用するオムツを触りにくくなる。
また、外側に設けられた各組の紐通し孔Ｈｆ１〜Ｈｆ４を使用して紐を結ぶことができる場合には、オムツを交換する際の介護者の作業効率が低下してしまうことが抑えられる。
【００２２】
以上、本考案の実施の形態を説明したが、本考案は、上記した形態に限定されるものでなく、要旨を逸脱しない条件の変更等は全て本考案の適用範囲である。
複数の一組の紐通し孔は、それぞれ紐通し部１４の前部、後部、左側部、及び右側部に設けられることに限定されるものではなく、任意の位置に配置されていてもよい。
【符号の説明】
【００２３】
１０  認知症患者用パンツ
１２ａ  第１の紐
１２ｂ  第２の紐
１４  紐通し部
２０ａ、２０ｂ  孔
Ｈｂ１〜Ｈｂ４  一組の紐通し孔
Ｈｆ１〜Ｈｆ４  一組の紐通し孔
【図１】
0003207688.tif 000003
【図２】
0003207688.tif 000004
【図３】
0003207688.tif 000005